(57)【要約】【課題】圧縮機を迅速に起動させることができる空気調和機の室外機、空気調和機、および空気調和機の室外機における圧縮機起動方法提供する。【解決手段】空気調和機１の室外機２ａ〜２ｃは、複数の定容量圧縮機２７ａ〜２７ｃ、２８ａ〜２８ｃと、可変容量圧縮機２２ａ〜２２ｃと、制御部６ａ〜６ｃとを備えている。複数の定容量圧縮機２７ａ〜２７ｃ、２８ａ〜２８ｃは、所定の容量で冷媒を圧縮する。可変容量圧縮機２２ａ〜２２ｃは、容量を変更して冷媒を圧縮することが可能である。制御部６ａ〜６ｃは、複数の定容量圧縮機２７ａ〜２７ｃ、２８ａ〜２８ｃを順次起動させ、その後に可変容量圧縮機２２ａ〜２２ｃの運転周波数を調整する。【選択図】図１
2007218533.tif 000002
【特許請求の範囲】
【請求項１】
所定の容量で冷媒を圧縮する複数の定容量圧縮機（２７ａ〜２７ｃ、２８ａ〜２８ｃ）と、
容量を変更して冷媒を圧縮することが可能な可変容量圧縮機（２２ａ〜２２ｃ）と、
複数の前記定容量圧縮機（２７ａ〜２７ｃ、２８ａ〜２８ｃ）を順次起動させ、その後に前記可変容量圧縮機（２２ａ〜２２ｃ）の運転周波数を調整する制御部（６ａ〜６ｃ）と、
を備えている、
空気調和機（１）の室外機（２ａ〜２ｃ）。
【請求項２】
前記制御部（６ａ〜６ｃ）は、前記複数の定容量圧縮機（２７ａ〜２７ｃ、２８ａ〜２８ｃ）の起動の間隔を１５秒以上にする、
請求項１に記載の空気調和機（１）の室外機（２ａ〜２ｃ）。
【請求項３】
所定の容量で冷媒を圧縮する複数の定容量圧縮機（２７ａ〜２７ｃ、２８ａ〜２８ｃ）と、容量を変更して冷媒を圧縮することが可能な可変容量圧縮機（２２ａ〜２２ｃ）と、複数の前記定容量圧縮機（２７ａ〜２７ｃ、２８ａ〜２８ｃ）を順次起動させ、その後に前記可変容量圧縮機（２２ａ〜２２ｃ）の運転周波数を調整する制御部（６ａ〜６ｃ）とを有する複数の室外機（２ａ〜２ｃ）を備えており、
個々の室外機（２ａ〜２ｃ）の前記制御部（６ａ〜６ｃ）は、他の室外機（２ａ〜２ｃ）の前記定容量圧縮機（２７ａ〜２７ｃ、２８ａ〜２８ｃ）の起動に対して所定時間だけずらしたタイミングで、前記定容量圧縮機（２７ａ〜２７ｃ、２８ａ〜２８ｃ）の起動を行う、
空気調和機（１）。
【請求項４】
前記所定時間は、１５秒以上である、
請求項３に記載の空気調和機（１）。
【請求項５】
個々の室外機（２ａ〜２ｃ）の前記制御部（６ａ〜６ｃ）は、他の室外機（２ａ〜２ｃ）の前記可変容量圧縮機（２２ａ〜２２ｃ）の起動とタイミングを合わせて、前記可変容量圧縮機（２２ａ〜２２ｃ）の起動を行う、
請求項３に記載の空気調和機（１）。
【請求項６】
複数の定容量圧縮機（２７ａ〜２７ｃ、２８ａ〜２８ｃ）と、
可変容量圧縮機（２２ａ〜２２ｃ）とを備えている空気調和機（１）の室外機（２ａ〜２ｃ）における圧縮機起動方法であって、
複数の前記定容量圧縮機（２７ａ〜２７ｃ、２８ａ〜２８ｃ）を順次起動させる第１行程と、
前記第１行程の後に、前記可変容量圧縮機（２２ａ〜２２ｃ）の運転周波数を調整する第２行程と
を含む、
空気調和機（１）の室外機（２ａ〜２ｃ）における圧縮機起動方法。
【発明の詳細な説明】
【技術分野】
【０００１】
本発明は、空気調和機の室外機、空気調和機、および空気調和機の室外機における圧縮機起動方法に関する。
【背景技術】
【０００２】
従来より、特許文献１に記載されているような複数の定速圧縮機と少なくとも１つの可変速圧縮機とを備えている空気調和機の室外機等の設備では、圧縮機の起動時において、以下のような手順で圧縮機の運転容量を目標容量に近づけている。
最初に、可変速圧縮機が起動して所定の容量（目標容量の５０％程度）まで立ち上げられる。その後、複数の定速圧縮機を１つずつ順次立ち上げていく。可変速圧縮機は、個々の定速圧縮機が立ち上がるときに生じる使用空気量の変動に対応して直線的に消費動力を変化させるように、容量制御を行う。
【特許文献１】特開２００１−１４０７６８号公報
【発明の開示】
【発明が解決しようとする課題】
【０００３】
しかし、特許文献１の設備では、可変速圧縮機が所定の容量まで立ち上がるまで、複数の定速圧縮機は起動せずに待機しなくてはならず、しかも、個々の定速圧縮機が立ち上がるごとに可変速圧縮機が容量制御を行うので、室外機が最終的に目標容量を得るまでに長い時間を必要としている。
本発明の課題は、圧縮機を迅速に起動させることができる空気調和機の室外機、空気調和機、および空気調和機の室外機における圧縮機起動方法提供することにある。
【課題を解決するための手段】
【０００４】
第１発明に係る空気調和機の室外機は、複数の定容量圧縮機と、可変容量圧縮機と、制御部とを備えている。複数の定容量圧縮機は、所定の容量で冷媒を圧縮する。可変容量圧縮機は、容量を変更して冷媒を圧縮することが可能である。制御部は、複数の定容量圧縮機を順次起動させ、その後に可変容量圧縮機の運転周波数を調整する。
ここでは、制御部は、複数の定容量圧縮機から順次起動させ、その後に可変容量圧縮機の運転周波数を調整するので、従来の空気調和機と比較して、可変容量圧縮機および定容量圧縮機の起動を迅速に行うことが可能である。
【０００５】
第２発明に係る空気調和機の室外機は、第１発明に係る空気調和機の室外機であって、制御部は、複数の定容量圧縮機の起動の間隔を１５秒以上にする。
ここでは、制御部が複数の定容量圧縮機の起動の間隔を１５秒以上に設定しているので、室外機に含まれている室外膨張弁が定容量圧縮機の起動に追従する時間を確保することが可能である。
【０００６】
第３発明に係る空気調和機は、複数の室外機を備えている。複数の室外機は、複数の定容量圧縮機と、可変容量圧縮機と、制御部とを有する。複数の定容量圧縮機は、所定の容量で冷媒を圧縮する。可変容量圧縮機は、容量を変更して冷媒を圧縮することが可能である。制御部は、複数の定容量圧縮機を順次起動させ、その後に可変容量圧縮機の運転周波数を調整する。個々の室外機の制御部は、他の室外機の定容量圧縮機の起動に対して所定時間だけずらしたタイミングで、定容量圧縮機の起動を行う。
ここでは、個々の室外機の制御部は、他の室外機の定容量圧縮機の起動に対して所定時間だけずらしたタイミングで、定容量圧縮機の起動を行うので、複数の室外機を備えている場合も、可変容量圧縮機および定容量圧縮機の起動を迅速に行うことが可能である。
【０００７】
第４発明に係る空気調和機は、第３発明に係る空気調和機であって、所定時間は、１５秒以上である。
ここでは、所定時間が１５秒以上に設定されているので、室外機の室外膨張弁が定容量圧縮機の起動に追従する時間を確保することが可能である。
【０００８】
第５発明に係る空気調和機は、第３発明に係る空気調和機であって、個々の室外機の制御部は、他の室外機の可変容量圧縮機の起動とタイミングを合わせて、可変容量圧縮機の起動を行う。
ここでは、個々の室外機の制御部は、他の室外機の可変容量圧縮機の起動とタイミングを合わせて、可変容量圧縮機の起動を行うので、迅速な容量制御が可能である。
【０００９】
第６発明に係る空気調和機の室外機における圧縮機起動方法は、空気調和機の室外機における圧縮機起動方法である。空気調和機の室外機は、複数の定容量圧縮機と、可変容量圧縮機とを備えている。この圧縮機起動方法は、第１行程と、第２行程とを含む。第１行程は、複数の定容量圧縮機を順次起動させる。第２行程は、第１行程の後に、可変容量圧縮機の運転周波数を調整する。
【００１０】
ここでは、複数の定容量圧縮機から順次起動させ、その後に可変容量圧縮機の運転周波数を調整するので、従来の空気調和機と比較して、可変容量圧縮機および定容量圧縮機の起動を迅速に行うことが可能である。
【発明の効果】
【００１１】
第１発明によれば、可変容量圧縮機および定容量圧縮機の起動を迅速に行うことができる。
第２発明によれば、室外機に含まれている室外膨張弁が定容量圧縮機の起動に追従する時間を確保することができる。
第３発明によれば、複数の室外機を備えている場合も、可変容量圧縮機および定容量圧縮機の起動を迅速に行うことができる。
【００１２】
第４発明によれば、室外機の室外膨張弁が定容量圧縮機の起動に追従する時間を確保することができる。
第５発明によれば、迅速な容量制御ができる。
第６発明によれば、可変容量圧縮機および定容量圧縮機を迅速に起動を行うことができる。
【発明を実施するための最良の形態】
【００１３】
＜空気調和機１の構成＞
図１に本発明の第１実施形態の空気調和機１の概略冷媒回路図を示す。空気調和機１は、ビル等の空気調和に使用されるものであって、複数（本実施形態では、３台）の空冷式の室外機２ａ〜２ｃと、多数の室内機３ａ，３ｂ，・・・とが冷媒液連絡配管４および冷媒ガス連絡配管５に対して、それぞれ、並列に接続されて構成されている。ここでは、室内機は２台３ａ，３ｂのみ図示する。複数の室外機２ａ〜２ｃは、それぞれ１台の容量可変式の可変容量圧縮機２２ａ〜２２ｃと複数（本実施形態では、２台）の容量一定式の定容量圧縮機２７ａ〜２７ｃ，２８ａ〜２８ｃとを有する圧縮機構２１ａ〜２１ｃを備える。
【００１４】
室内機３ａ，３ｂ，・・・は、それぞれ、主に、室内膨張弁３１ａ，３１ｂ，・・・と、室内熱交換器３２ａ，３２ｂ，・・・と、これらを接続する配管とから構成されている。本実施形態において、室内膨張弁３１ａ，３１ｂ，・・・は、冷媒圧力の調節や冷媒流量の調節等を行うために、室内熱交換器３２ａ，３２ｂ，・・・の冷媒液連絡配管４側（以下液側とする）に接続された電動膨張弁である。本実施形態において、室内熱交換器３２ａ，３２ｂ，・・・は、クロスフィンチューブ式の熱交換器であり、室内の空気と熱交換するための機器である。本実施形態において、室内機３ａ，３ｂ，・・・は、ユニット内に室内の空気を取り込み、送り出すための室内ファン（図示せず）を備えており、室内の空気と室内熱交換器３２ａ，３２ｂ，・・・を流れる冷媒とを熱交換させることが可能である。
【００１５】
室外機２ａ〜２ｃは、それぞれ、主に、圧縮機構２１ａ〜２１ｃと、四路切換弁２３ａ〜２３ｃと、室外熱交換器２４ａ〜２４ｃと、液側閉鎖弁２５ａ〜２５ｃと、ガス側閉鎖弁２６ａ〜２６ｃと、室外膨張弁２９ａ〜２９ｃと、これらを接続する配管とから構成されている。本実施形態において、室外膨張弁２９ａ〜２９ｃは、冷媒圧力の調節や冷媒流量の調節等を行うために、室外膨張弁２９ａ〜２９ｃの冷媒液連絡配管４側（以下液側とする）に接続された電動膨張弁である。
【００１６】
圧縮機構２１ａ〜２１ｃは、それぞれ、１台の可変容量圧縮機２２ａ〜２２ｃと、２台の定容量圧縮機２７ａ〜２７ｃ，２８ａ〜２８ｃとを有する。
可変容量圧縮機２２ａ〜２２ｃは、吸入した冷媒ガスを圧縮するための機器であり、インバータ制御により容量を変更して冷媒を圧縮することが可能な容量可変式の圧縮機である。
【００１７】
定容量圧縮機２７ａ〜２７ｃおよび２８ａ〜２８ｃは、吸入した冷媒ガスを圧縮するための機器であり、所定の容量で冷媒を圧縮する圧縮機である。
四路切換弁２３ａ〜２３ｃは、冷房運転と暖房運転との切り換え時に、冷媒の流れの方向を切り換えるための弁であり、冷房運転時には圧縮機構２１ａ〜２１ｃと室外熱交換器２４ａ〜２４ｃの冷媒ガス連絡配管５側（以下ガス側とする）とを接続するとともに圧縮機構２１ａ〜２１ｃの吸入側と冷媒ガス連絡配管５とを接続し（図１の四路切換弁２３ａ〜２３ｃの実線を参照）、暖房運転時には圧縮機構２１ａ〜２１ｃの出口と冷媒ガス連絡配管５とを接続するとともに圧縮機構２１ａ〜２１ｃの吸入側と室外熱交換器２４ａ〜２４ｃのガス側とを接続することが可能である（図１の四路切換弁２３ａ〜２３ｃの破線を参照）。
【００１８】
室外熱交換器２４ａ〜２４ｃは、本実施形態において、クロスフィンチューブ式の熱交換器であり、空気を熱源として冷媒と熱交換するための機器である。本実施形態において、室外機２ａ〜２ｃは、ユニット内に屋外の空気を取り込み、送り出すための室外ファン（図示せず）を備えており、屋外の空気と室外熱交換器２４ａ〜２４ｃを流れる冷媒とを熱交換させることが可能である。
【００１９】
各室外機２ａ〜２ｃの液側閉鎖弁２５ａ〜２５ｃおよびガス側閉鎖弁２６ａ〜２６ｃは、冷媒液連絡配管４および冷媒ガス連絡配管５に並列に接続されている。冷媒液連絡配管４は、室内機３ａ，３ｂ，・・・の室内熱交換器３２ａ，３２ｂ，・・・の液側と室外機２ａ〜２ｃの室外熱交換器２４ａ〜２４ｃの液側との間を接続している。冷媒ガス連絡配管５は、室内機３ａ，３ｂ，・・・の室内熱交換器３２ａ，３２ｂ，・・・のガス側と室外機２ａ〜２ｃの四路切換弁２３ａ〜２３ｃとの間を接続している。
【００２０】
＜制御部の構成＞
制御部６ａ〜６ｃは、各室外機２ａ〜２ｃに内蔵されており、親機として設定された室外機（ここでは、２ａ）の制御部（ここでは、６ａ）のみを使用して、上記のような運転制御を行うことが可能である。そして、他の子機として設定された室外機（ここでは、２ｂ，２ｃ）の制御部（ここでは、６ｂ，６ｃ）は、圧縮機構等の機器の運転状態や各種センサにおける検出データを親機の制御部６ａに送信したり、親機の制御部６ａからの指令により、圧縮機構等の機器への運転および停止指令を行うように機能したりすることが可能である。
【００２１】
制御部６ａ〜６ｃは、空気調和機１の暖房運転時において、定容量圧縮機２７ａ〜２７ｃ、２８ａ〜２８ｃから順次起動させ、その後に可変容量圧縮機２２ａ〜２２ｃの運転周波数を調整する。これにより、従来の空気調和機と比較して、可変容量圧縮機２２ａ〜２２ｃおよび定容量圧縮機２７ａ〜２７ｃ、２８ａ〜２８ｃの起動を迅速に行うことができる。すなわち、従来の空気調和機では、可変容量圧縮機を一旦立ち上げ、その後に定容量圧縮機を１台ずつ立ち上げながら可変容量圧縮機によって容量制御を行っている。一方、この実施形態における空気調和機１では、まず、定容量圧縮機２７ａ〜２７ｃおよび２８ａ〜２８ｃを順次起動させて、それぞれの定容量圧縮機２７ａ〜２７ｃおよび２８ａ〜２８ｃの所定の運転容量まで急速に上げる。その後に可変容量圧縮機２２ａ〜２２ｃの運転周波数を調整することにより、室内機３ａ、３ｂの運転状態に合わせて室外機２ａ、２ｂ、２ｃの合計の運転容量を調整する。したがって、従来の空気調和機のように、可変容量圧縮機が最初に所定の運転容量になるまで定容量圧縮機を待機させる時間、および複数の定容量圧縮機を立ち上げるごとに可変容量圧縮機によって容量制御をする時間が不要になり、可変容量圧縮機２２ａ〜２２ｃおよび定容量圧縮機２７ａ〜２７ｃ、２８ａ〜２８ｃの迅速な起動が可能になる。
【００２２】
制御部６ａ〜６ｃは、定容量圧縮機２７ａ〜２７ｃの起動と定容量圧縮機２８ａ〜２８ｃの起動との間隔を１５秒以上に設定しているので、室外機２ａ〜２ｃの室外膨張弁２９ａ〜２９ｃが定容量圧縮機２７ａ〜２７ｃ、２８ａ〜２８ｃの起動に追従する時間を確保することが可能である。
個々の室外機２ａ〜２ｃの制御部６ａ〜６ｃは、他の室外機２ａ〜２ｃの定容量圧縮機２７ａ〜２７ｃ、２８ａ〜２８ｃの起動に対して所定時間Δｔ（図２参照）だけずらしたタイミングで、定容量圧縮機２７ａ〜２７ｃ、２８ａ〜２８ｃの起動を行うので、複数の室外機２ａ〜２ｃを備えている場合も、可変容量圧縮機２２ａ〜２２ｃおよび定容量圧縮機２７ａ〜２７ｃ、２８ａ〜２８ｃの起動を迅速に行うことが可能である。
【００２３】
例えば、図２に示されるように、室外機２ａの制御部６ａが定容量圧縮機２７ａを起動させた（曲線Ｉ1）、ついで、定容量圧縮機２７ａの起動から所定時間Δｔだけずらしたタイミングで室外機２ｂの制御部６ｂが定容量圧縮機２７ｂを起動させ（曲線Ｉ2）、その後に定容量圧縮機２７ｂの起動から所定時間Δｔだけずらしたタイミングで室外機２ｃの制御部６ｃが定容量圧縮機２７ｃを起動させる（曲線Ｉ3）。さらに、定容量圧縮機２７ｃの起動から所定時間Δｔだけずらしたタイミングで、室外機２ａの制御部６ａが定容量圧縮機２８ａを起動させ（曲線ＩＩ1）、定容量圧縮機２８ａの起動から所定時間Δｔだけずらしたタイミングで、室外機２ｂの制御部６ｂが定容量圧縮機２８ｂを起動させ（曲線ＩＩ2）、定容量圧縮機２８ｂの起動から所定時間Δｔだけずらしたタイミングで、室外機２ｃの制御部６ｃが定容量圧縮機２８ｃを起動させる（曲線ＩＩ3）。
【００２４】
このように図２に示される曲線Ｉ1〜Ｉ3、ＩＩ1〜ＩＩ3の順序で定容量圧縮機２７ａ〜２７ｃ、２８ａ〜２８ｃを順次起動を行うことによって、室内機３ａ、３ｂ、・・・の室内熱交換器３２ａ、３２ｂ、・・・（暖房運転時時において凝縮器になる）における冷媒圧力Ｐｃは順調に上がり、一方、室外機２ａ〜２ｃでは、室外膨張弁２９ａ〜２９ｃが定容量圧縮機２７ａ〜２７ｃ、２８ａ〜２８ｃの起動に追従していきながら、室外熱交換器２４ａ、２４ｂ、２４ｃ（暖房運転時時において膨張器になる）における冷媒圧力Ｐｅは徐々に減少する。
所定時間Δｔは、１５秒以上に設定されているので、室外機２ａ〜２ｃの室外膨張弁２９ａ〜２９ｃが定容量圧縮機２７ａ〜２７ｃ、２８ａ〜２８ｃの起動に追従する時間を確保することが可能である。
個々の室外機２ａ〜２ｃの制御部６ａ〜６ｃは、他の室外機２ａ〜２ｃの可変容量圧縮機２２ａ〜２２ｃの起動とタイミングを合わせて、可変容量圧縮機２２ａ〜２２ｃの起動を行うので、迅速な容量制御が可能である。
【００２５】
＜圧縮機の起動方法＞
つぎに、図３に示されるフローチャートを用いて暖房運転時における各室外機２ａ〜２ｃの圧縮機（可変容量圧縮機２２ａ〜２２ｃおよび定容量圧縮機２７ａ〜２７ｃ、２８ａ〜２８ｃ）の起動方法について説明する。ここで、各室外機２ａ〜２ｃは、室外機ごとの動作を明確にするために、第１室外機２ａ、第２室外機２ｂ、第３室外機２ｃと呼ぶ。また、図３に示されるフローチャートにおいて、「第１ＳＴＤ」は定容量圧縮機２７ａ〜２７ｃ、「第２ＳＴＤ」は定容量圧縮機２８ａ〜２８ｃ、「ＩＮＶ」は可変容量圧縮機２２ａ〜２２ｃに対応する。
【００２６】
まず、暖房運転開始の信号が、第１室外機２ａ、第２室外機２ｂ、第３室外機２ｃの制御部６ａ〜６ｃへ入力されたときには、予備動作として、制御部６ａ〜６ｃは、それぞれの可変容量圧縮機２２ａ〜２２ｃを最低の運転容量で起動させる。なお、可変容量圧縮機２２ａ〜２２ｃの予備的な起動は、省略してもよい。予備的な起動を省略した場合には、後述するステップＳ７以降で可変容量圧縮機２２ａ〜２２ｃを起動させればよい。
【００２７】
図３のフローチャートに示されるように、第１室外機２ａの制御部６ａは、まず、ステップＳ１において、第１室外機２ａの定容量圧縮機２７ａを起動させる。
このとき、第２室外機２ｂの制御部６ｂは、ステップＳ１１において、第１室外機２ａの定容量圧縮機２７ａが起動したか否か判別する。起動したことを判別したときには、ステップＳ１２において、直前の定容量圧縮機２７ａの起動に対してタイミングをずらすために１５秒カウントする。その後、ステップＳ１３において、第２室外機２ｂの定容量圧縮機２７ｂを起動させる。
【００２８】
このとき、第３室外機２ｃの制御部６ｃは、ステップＳ２１において、第２室外機２ｂの定容量圧縮機２７ｂが起動したか否か判別する。起動したことを判別したときには、ステップＳ２２において、１５秒カウントした後、ステップＳ２３において第３室外機２ｃの定容量圧縮機２７ｃを起動させる。
ついで、ステップＳ２において、第１室外機２ａの制御部６ａは、第３室外機２ｃの定容量圧縮機２７ｃが起動したか否か判別する。起動したことを判別したときには、ステップＳ３において、１５秒カウントした後、ステップＳ４において第１室外機２ａの定容量圧縮機２８ａを起動させる。
【００２９】
このとき、第２室外機２ｂの制御部６ｂは、ステップＳ１４において、第１室外機２ａの定容量圧縮機２８ａが起動したか否か判別する。起動したことを判別したときには、ステップＳ１５において、１５秒カウントした後、ステップＳ１６において第２室外機２ｂの定容量圧縮機２８ｂを起動させる。
このとき、第３室外機２ｃの制御部６ｃは、ステップＳ２４において、第２室外機２ｂの定容量圧縮機２８ｂが起動したか否か判別する。起動したことを判別したときには、ステップＳ２５において、１５秒カウントした後、ステップＳ２６において第３室外機２ｃの定容量圧縮機２８ｃを起動させる。
【００３０】
ついで、ステップＳ５において、第１室外機２ａの制御部６ａは、第３室外機２ｃの定容量圧縮機２８ｃが起動したか否か判別する。起動したことを判別したときには、ステップＳ６において、１５秒カウントした後、ステップＳ７において第１室外機２ａの可変容量圧縮機２２ａの運転周波数を室内機３ａ、３ｂ、・・・の運転容量に対応させるように調整する。また、第１室外機２ａの可変容量圧縮機２２ａと連動して、第２室外機２ｂの可変容量圧縮機２２ｂおよび第３室外機２ｃの可変容量圧縮機２２ｃも運転周波数を室内機３ａ、３ｂ、・・・の運転容量に対応させるように調整する。
【００３１】
具体的には、第２室外機２ｂの制御部６ｂは、ステップＳ１７において、第１室外機２ａの可変容量圧縮機２２ａが起動したか否か判別する。起動したことを判別したときには、ステップＳ１８において、第２室外機２ｂの可変容量圧縮機２２ｂの運転周波数を室内機３ａ、３ｂ、・・・の運転容量に対応させるように調整する。
それとともに、第３室外機２ｃの制御部６ｃは、ステップＳ２７において、第１室外機２ａの可変容量圧縮機２２ａが起動したか否か判別する。起動したことを判別したときには、ステップＳ２８において、第３室外機２ｃの可変容量圧縮機２２ｃの運転周波数を室内機３ａ、３ｂ、・・・の運転容量に対応させるように調整する。
【００３２】
＜空気調和機１の動作＞
次に、空気調和機１の動作について、図１を用いて説明する。
＜通常運転＞
（暖房運転）
まず、暖房運転について説明する。暖房運転時は、すべての室外機２ａ〜２ｃにおいて、四路切換弁２３ａ〜２３ｃが図１の破線で示される状態、すなわち、各圧縮機構２１ａ〜２１ｃの吐出側が冷媒ガス連絡配管５を介して室内熱交換器３２ａ，３２ｂ，・・・のガス側に接続され、かつ、各圧縮機構２１ａ〜２１ｃの吸入側が室外熱交換器２４ａ〜２４ｃのガス側に接続された状態となっている。また、液側閉鎖弁２５ａ〜２５ｃ、ガス側閉鎖弁２６ａ〜２６ｃは開にされ、室外膨張弁２９ａ〜２９ｃは冷媒を減圧するように開度調節されている。
【００３３】
この空気調和機１の冷媒回路７の状態で、各室外機２ａ〜２ｃの室外ファン（図示せず）、各室内機３ａ，３ｂ，・・・の室内ファン（図示せず）および各圧縮機構２１ａ〜２１ｃを起動すると、冷媒ガスは、各圧縮機構２１ａ〜２１ｃに吸入されて圧縮された後、各室外機２ａ〜２ｃの四路切換弁２３ａ〜２３ｃを経由して冷媒ガス連絡配管５に合流されて、室内機３ａ，３ｂ，・・・側に送られる。そして、室内機３ａ，３ｂ，・・・に送られた冷媒ガスは、室内熱交換器３２ａ，３２ｂ，・・・で室内空気と熱交換して凝縮される。この凝縮した冷媒液は、室内膨張弁３１ａ，３１ｂ，・・・を経由して、冷媒液連絡配管４に合流し、室外機２ａ〜２ｃ側に送られる。冷媒液連絡配管４を流れる冷媒液は、各室外機２ａ〜２ｃの室外熱交換器２４ａ〜２４ｃで外気と熱交換して蒸発される。この蒸発した冷媒ガスは、各室外機２ａ〜２ｃの四路切換弁２３ａ〜２３ｃを経由して、再び、圧縮機構２１ａ〜２１ｃに吸入される。このようにして、暖房運転が行われる。
【００３４】
（冷房運転）
次に、冷房運転について説明する。冷房運転時は、すべての室外機２ａ〜２ｃにおいて、四路切換弁２３ａ〜２３ｃが図１の実線で示される状態、すなわち、各圧縮機構２１ａ〜２１ｃの吐出側が室外熱交換器２４ａ〜２４ｃのガス側に接続され、かつ、各圧縮機構２１ａ〜２１ｃの吸入側が冷媒ガス連絡配管５を介して室内熱交換器３２ａ，３２ｂ，・・・のガス側に接続された状態となっている。また、液側閉鎖弁２５ａ〜２５ｃ、ガス側閉鎖弁２６ａ〜２６ｃは開にされ、室内膨張弁３１ａ，３１ｂ，・・・は冷媒を減圧するように開度調節されている。
【００３５】
この空気調和機１の冷媒回路７の状態で、各室外機２ａ〜２ｃの室外ファン（図示せず）、室内機３ａ，３ｂ，・・・の室内ファン（図示せず）および各圧縮機構２１ａ〜２１ｃを起動すると、冷媒ガスは、各圧縮機構２１ａ〜２１ｃに吸入されて圧縮された後、四路切換弁２３ａ〜２３ｃを経由して室外熱交換器２４ａ〜２４ｃに送られて、外気と熱交換して凝縮される。この凝縮した冷媒液は、冷媒液連絡配管４に合流されて、室内機３ａ，３ｂ，・・・側に送られる。そして、室内機３ａ，３ｂ，・・・に送られた冷媒液は、室内膨張弁３１ａ，３１ｂ，・・・で減圧された後、室内熱交換器３２ａ，３２ｂ，・・・で室内空気と熱交換して蒸発される。この蒸発した冷媒ガスは、冷媒ガス連絡配管５を通じて室外機２ａ〜２ｃ側に送られる。冷媒ガス連絡配管５を流れる冷媒ガスは、各室外機２ａ〜２ｃの四路切換弁２３ａ〜２３ｃを通過した後、再び、各圧縮機構２１ａ〜２１ｃに吸入される。このようにして、冷房運転が行われる。
【００３６】
＜特徴＞
（１）
実施形態の空気調和機１では、制御部６ａ〜６ｃは、定容量圧縮機２７ａ〜２７ｃ、２８ａ〜２８ｃから順次起動させ、その後に可変容量圧縮機２２ａ〜２２ｃの運転周波数を調整する。これにより、従来の空気調和機と比較して、可変容量圧縮機２２ａ〜２２ｃおよび定容量圧縮機２７ａ〜２７ｃ、２８ａ〜２８ｃの起動を迅速に行うことが可能である。
【００３７】
また、実施形態の空気調和機１では、定容量圧縮機２７ａ〜２７ｃ、２８ａ〜２８ｃから順次起動させ、その後に可変容量圧縮機２２ａ〜２２ｃの運転周波数を調整するので、過度に高い容量で圧縮機を立ち上げて冷媒圧力が高圧に上昇したり、反対に過度に低い容量で圧縮機を立ち上げて低圧に低下するおそれがない。そのため、室内機の運転容量に基づく立上げ制限下においても、可変容量圧縮機２２ａ〜２２ｃおよび定容量圧縮機２７ａ〜２７ｃ、２８ａ〜２８ｃの起動を迅速に行うことが可能である。
【００３８】
しかも、実施形態の空気調和機１では、定容量圧縮機２７ａ〜２７ｃ、２８ａ〜２８ｃから順次起動させ、その後に可変容量圧縮機２２ａ〜２２ｃの運転周波数を調整するので、可変容量圧縮機２２ａ〜２２ｃおよび定容量圧縮機２７ａ〜２７ｃ、２８ａ〜２８ｃのストール（失速）を回避するように、可変容量圧縮機２２ａ〜２２ｃの運転周波数を上げることが可能である。
【００３９】
（２）
しかも、実施形態の空気調和機１では、空気調和機１の暖房運転時において、定容量圧縮機２７ａ〜２７ｃ、２８ａ〜２８ｃおよび可変容量圧縮機２２ａ〜２２ｃを迅速に起動することが可能であるので、暖房運転時に迅速に起動してほしいという顧客等からの要求を満足させることが可能である。
【００４０】
（３）
実施形態の空気調和機１では、制御部６ａ〜６ｃは、定容量圧縮機２７ａ〜２７ｃの起動と定容量圧縮機２８ａ〜２８ｃの起動との間隔を１５秒以上に設定しているので、室外機２ａ〜２ｃの室外膨張弁２９ａ〜２９ｃが定容量圧縮機２７ａ〜２７ｃ、２８ａ〜２８ｃの起動に追従する時間を確保することが可能である。
【００４１】
とくに、従来の空気調和機では、複数の定容量圧縮機の起動のタイミングが重なった場合に電源電圧が低下するおそれがあるが、実施形態の空気調和機１では、定容量圧縮機２７ａ〜２７ｃ、８ａ〜２８ｃを１５秒間隔で迅速に順次起動させるので、電源電圧の低下のおそれがない。
（４）
実施形態の空気調和機１では、個々の室外機２ａ〜２ｃの制御部６ａ〜６ｃは、他の室外機２ａ〜２ｃの定容量圧縮機２７ａ〜２７ｃ、２８ａ〜２８ｃの起動に対して所定時間Δｔ（図２参照）だけずらしたタイミングで、定容量圧縮機２７ａ〜２７ｃ、２８ａ〜２８ｃの起動を行うので、複数の室外機２ａ〜２ｃを備えている場合も、可変容量圧縮機２２ａ〜２２ｃおよび定容量圧縮機２７ａ〜２７ｃ、２８ａ〜２８ｃの起動を迅速に行うことが可能である。
【００４２】
（５）
実施形態の空気調和機１では、所定時間Δｔは、１５秒以上に設定されているので、室外機２ａ〜２ｃの室外膨張弁２９ａ〜２９ｃが定容量圧縮機２７ａ〜２７ｃ、２８ａ〜２８ｃの起動に追従する時間を確保することが可能である。
（６）
実施形態の空気調和機１では、個々の室外機２ａ〜２ｃの制御部６ａ〜６ｃは、他の室外機２ａ〜２ｃの可変容量圧縮機２２ａ〜２２ｃの起動とタイミングを合わせて、可変容量圧縮機２２ａ〜２２ｃの起動を行うので、迅速な容量制御が可能である。
【００４３】
＜変形例＞
（Ａ）
実施形態では、複数の室外機２ａ、２ｂ、２ｃを備えた空気調和機１を例に挙げ、個々の室外機２ａ〜２ｃの制御部６ａ〜６ｃは、他の室外機２ａ〜２ｃの定容量圧縮機２７ａ〜２７ｃ、２８ａ〜２８ｃの起動に対して所定時間だけずらしたタイミングで、定容量圧縮機２７ａ〜２７ｃ、２８ａ〜２８ｃの起動を行っているが、本発明はこれに限定されるものではない。
【００４４】
変形例として、室外機２ａを１台のみ備えた空気調和機１の場合において、室外機２ａ内部の２つの定容量圧縮機２７ａ、２８ａの起動のタイミングを所定時間だけずらして起動させ、その後に可変容量圧縮機２２ａの運転周波数を調整することによっても、可変容量圧縮機２２ａおよび定容量圧縮機２７ａ、２８ａを迅速に起動させることが可能になる。
【００４５】
（Ｂ）
実施形態では、暖房運転時における可変容量圧縮機２２ａおよび定容量圧縮機２７ａ、２８ａの起動を例に挙げて説明しているが、本発明はこれに限定されるものではなく、他の運転モード（例えば、冷房運転）などの場合であっても、本発明の空気調和機１の室外機２ａ〜２ｃでは、可変容量圧縮機２２ａおよび定容量圧縮機２７ａ、２８ａの起動を迅速に行うことが可能である。
【産業上の利用可能性】
【００４６】
本発明は、複数の定容量圧縮機と少なくとも１つの可変容量圧縮機とを備えている空気調和機の室外機に適用可能である。
【図面の簡単な説明】
【００４７】
【図１】本発明の実施の形態に係る空気調和機の全体構成図。
【図２】図１の室外機における定容量圧縮機および可変容量圧縮機の起動の様子を時系列的に示したグラフ。
【図３】図１の室外機における定容量圧縮機および可変容量圧縮機の起動動作の手順を示すフローチャート。
【符号の説明】
【００４８】
１          空気調和機
２ａ〜２ｃ  室外機
３ａ，３ｂ，・・・  室内機
４，５      冷媒連絡配管
６ａ〜６ｃ  制御部
２１ａ〜２１ｃ  圧縮機構
２２ａ〜２２ｃ，２７ａ〜２７ｃ，２８ａ〜２８ｃ  圧縮機
２４ａ〜２４ｃ  室外熱交換器
２９ａ〜２９ｃ  室外膨張弁
３１ａ，３１ｂ，・・・  室内膨張弁
３２ａ，３２ｂ，・・・  室内熱交換器
【図１】
2007218533.tif 000003
【図２】
2007218533.tif 000004
【図３】
2007218533.tif 000005
【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
所定の容量で冷媒を圧縮する複数の定容量圧縮機（２７ａ〜２７ｃ、２８ａ〜２８ｃ）と、
容量を変更して冷媒を圧縮することが可能な可変容量圧縮機（２２ａ〜２２ｃ）と、
複数の前記定容量圧縮機（２７ａ〜２７ｃ、２８ａ〜２８ｃ）を順次起動させ、その後に前記可変容量圧縮機（２２ａ〜２２ｃ）の運転周波数を調整する制御部（６ａ〜６ｃ）と、
を備えている、
空気調和機（１）の室外機（２ａ〜２ｃ）。
【請求項２】
前記制御部（６ａ〜６ｃ）は、前記複数の定容量圧縮機（２７ａ〜２７ｃ、２８ａ〜２８ｃ）の起動の間隔を１５秒以上にする、
請求項１に記載の空気調和機（１）の室外機（２ａ〜２ｃ）。
【請求項３】
所定の容量で冷媒を圧縮する複数の定容量圧縮機（２７ａ〜２７ｃ、２８ａ〜２８ｃ）と、容量を変更して冷媒を圧縮することが可能な可変容量圧縮機（２２ａ〜２２ｃ）と、複数の前記定容量圧縮機（２７ａ〜２７ｃ、２８ａ〜２８ｃ）を順次起動させ、その後に前記可変容量圧縮機（２２ａ〜２２ｃ）の運転周波数を調整する制御部（６ａ〜６ｃ）とを有する複数の室外機（２ａ〜２ｃ）を備えており、
個々の室外機（２ａ〜２ｃ）の前記制御部（６ａ〜６ｃ）は、他の室外機（２ａ〜２ｃ）の前記定容量圧縮機（２７ａ〜２７ｃ、２８ａ〜２８ｃ）の起動に対して所定時間だけずらしたタイミングで、前記定容量圧縮機（２７ａ〜２７ｃ、２８ａ〜２８ｃ）の起動を行う、
空気調和機（１）。
【請求項４】
前記所定時間は、１５秒以上である、
請求項３に記載の空気調和機（１）。
【請求項５】
個々の前記室外機（２ａ〜２ｃ）の前記制御部（６ａ〜６ｃ）は、他の室外機に含まれる複数の定容量圧縮機（２７ａ〜２７ｃ、２８ａ〜２８ｃ）のうちの１つの定容量圧縮機が起動したか否かを判別し、起動したことを判別したときに前記所定時間のカウントを開始する、
請求項３または４に記載の空気調和機（１）。
【請求項６】
個々の室外機（２ａ〜２ｃ）の前記制御部（６ａ〜６ｃ）は、他の室外機（２ａ〜２ｃ）の前記可変容量圧縮機（２２ａ〜２２ｃ）の起動とタイミングを合わせて、前記可変容量圧縮機（２２ａ〜２２ｃ）の起動を行う、
請求項３に記載の空気調和機（１）。
【請求項７】
複数の定容量圧縮機（２７ａ〜２７ｃ、２８ａ〜２８ｃ）と、
可変容量圧縮機（２２ａ〜２２ｃ）とを備えている空気調和機（１）の室外機（２ａ〜２ｃ）における圧縮機起動方法であって、
複数の前記定容量圧縮機（２７ａ〜２７ｃ、２８ａ〜２８ｃ）を順次起動させる第１行程と、
前記第１行程の後に、前記可変容量圧縮機（２２ａ〜２２ｃ）の運転周波数を調整する第２行程と
を含む、
空気調和機（１）の室外機（２ａ〜２ｃ）における圧縮機起動方法。
【手続補正２】
【補正対象書類名】明細書
【補正対象項目名】０００７
【補正方法】変更
【補正の内容】
【０００７】
第４発明に係る空気調和機は、第３発明に係る空気調和機であって、所定時間は、１５秒以上である。
ここでは、所定時間が１５秒以上に設定されているので、室外機の室外膨張弁が定容量圧縮機の起動に追従する時間を確保することが可能である。
第５発明に係る空気調和機は、第３発明または第４発明に係る空気調和機であって、個々の室外機の制御部は、他の室外機に含まれる複数の定容量圧縮機のうちの１つの定容量圧縮機が起動したか否かを判別し、起動したことを判別したときに所定時間のカウントを開始する。
ここでは、個々の室外機の制御部は、他の室外機に含まれる複数の定容量圧縮機のうちの１つの定容量圧縮機が起動したか否かを判別し、起動したことを判別したときに所定時間のカウントを開始するので、複数の室外機を備えている場合も、可変容量圧縮機および定容量圧縮機の起動を迅速に行うことが可能であり、しかも、室外機の室外膨張弁が定容量圧縮機の起動に追従する時間を所定時間確保することが可能である。
【手続補正３】
【補正対象書類名】明細書
【補正対象項目名】０００８
【補正方法】変更
【補正の内容】
【０００８】
第６発明に係る空気調和機は、第３発明に係る空気調和機であって、個々の室外機の制御部は、他の室外機の可変容量圧縮機の起動とタイミングを合わせて、可変容量圧縮機の起動を行う。
ここでは、個々の室外機の制御部は、他の室外機の可変容量圧縮機の起動とタイミングを合わせて、可変容量圧縮機の起動を行うので、迅速な容量制御が可能である。
【手続補正４】
【補正対象書類名】明細書
【補正対象項目名】０００９
【補正方法】変更
【補正の内容】
【０００９】
第７発明に係る空気調和機の室外機における圧縮機起動方法は、空気調和機の室外機における圧縮機起動方法である。空気調和機の室外機は、複数の定容量圧縮機と、可変容量圧縮機とを備えている。この圧縮機起動方法は、第１行程と、第２行程とを含む。第１行程は、複数の定容量圧縮機を順次起動させる。第２行程は、第１行程の後に、可変容量圧縮機の運転周波数を調整する。
【手続補正５】
【補正対象書類名】明細書
【補正対象項目名】００１２
【補正方法】変更
【補正の内容】
【００１２】
第４発明によれば、室外機の室外膨張弁が定容量圧縮機の起動に追従する時間を確保することができる。
第５発明によれば、複数の室外機を備えている場合も、可変容量圧縮機および定容量圧縮機の起動を迅速に行うことができる。しかも、室外機の室外膨張弁が定容量圧縮機の起動に追従する時間を所定時間だけ確保することができる。
第６発明によれば、迅速な容量制御ができる。
第７発明によれば、可変容量圧縮機および定容量圧縮機を迅速に起動を行うことができる。